(57)【要約】【課題】気密パッキンを既設ドア本体に簡単且つ精度良く取り付けることができる既設ドアの改修方法、ドアおよびこれらに用いられる気密パッキンを提供することである。【解決手段】気密パッキン４０を、ドア本体２０の室内側周縁部に、ドア枠３０に密接するように両面粘着テープを用いて仮止めし、ドア本体２０の室内側周縁部にマーキングした墨出マークにＭｃに従って、気密パッキン４０を位置修正しながら、ドア本体２０の室内側周縁部の四周に亘って本固定する。【選択図】図４
2010185235.tif 000002
【特許請求の範囲】
【請求項１】
既設ドア本体の室内側周縁部に、既設ドア枠に密接する気密パッキンを四周に亘って取り付ける既設ドアの改修方法であって、
両面粘着テープを用い、前記気密パッキンを前記室内側周縁部に仮止めするパッキン仮止め工程と、
前記室内側周縁部にマーキングした墨出マークに従って、前記気密パッキンを位置修正しながら前記室内側周縁部に本固定する本固定工程と、を備えたことを特徴とする既設ドアの改修方法。
【請求項２】
前記気密パッキンは、前記既設ドア枠の上枠に密接する上部パッキンと、前記既設ドア枠の下枠に密接する下部パッキンと、前記既設ドア枠の両側枠に密接する一対の側部パッキンと、から成り、
前記気密パッキンのコーナー部分は、前記上部パッキン、前記下部パッキンおよび前記一対の側部パッキンを、相互に４５°の角度で突き合わせて構成されていること特徴とする請求項１に記載の既設ドアの改修方法。
【請求項３】
前記既設ドア本体は、框部に対し面材部が室内側から見て凹部となるように形成されており、
前記凹部に、断熱遮音パネルを嵌合設置する断熱遮音工程を、更に備えたことを特徴とする請求項１または２に記載の既設ドアの改修方法。
【請求項４】
前記框部の外側輪郭形状より僅かに小さい化粧パネルを、前記断熱遮音パネルを覆うように前記框部の室内側に取り付けるパネル覆装工程を、更に備えたことを特徴とする請求項３に記載の既設ドアの改修方法。
【請求項５】
前記気密パッキンは、前記化粧パネルを挟んで前記框部に固定されることを特徴とする請求項４に記載の既設ドアの改修方法。
【請求項６】
請求項１ないし５のいずれかに記載の既設ドアの改修方法に用いられる気密パッキンであって、
前記既設ドア枠の接触するエアータイト部と、
前記エアータイト部を支持すると共に、前記既設ドア本体の室内側周縁部に固定される取付け片部と、を備え、
前記エアータイト部を軟質樹脂とし前記取付け片部を硬質樹脂とする複合成型品で構成されていることを特徴とする気密パッキン。
【請求項７】
前記エアータイト部は、
前記既設ドア枠に直接接触する略断面円形の接触部と、
基端部において、前記室内側周縁部に当接すると共に前記取付け片部に連設し、前記室内側周縁部から直角に延びる支持片部と、
先端部で前記接触部を支持すると共に基端部で前記支持片部に連設し、前記既設ドア本体の閉塞方向に湾曲する湾曲片部と、を有していることを特徴とする請求項６に記載の気密パッキン。
【請求項８】
前記エアータイト部から延び、前記取付け部を覆う覆装片部を、更に備え、
前記覆装片部は、軟質樹脂で構成され且つ前記エアータイト部と一体に成形されていることを特徴とする請求項６または７に記載の気密パッキン。
【請求項９】
框部に対し面材部が室内側から見て凹部となるように形成されたドア本体と、
前記ドア本体が開閉自在に取り付けられたドア枠と、
前記ドア本体の前記凹部に嵌合固定された断熱遮音パネルと、
前記断熱遮音パネルを覆うように、前記ドア本体の室内側に取り付けられた化粧パネルと、
前記ドア本体の室内側周縁部に四周に亘って取り付けられ、前記ドア枠に密接する気密パッキンと、
前記室内側周縁部と前記気密パッキンとの間に介設した両面粘着テープと、を備えたことを特徴とするドア。
【請求項１０】
請求項９に記載のドアに用いられる気密パッキンであって、
前記ドア枠の接触するエアータイト部と、
前記エアータイト部を支持すると共に、前記ドア本体の室内側周縁部に固定される取付け片部と、
前記エアータイト部から延び、前記取付け片部を覆う覆装片部と、
を備え、
前記エアータイト部および前記覆装片部を軟質樹脂とし前記取付け片部を硬質樹脂とする複合成型品で構成されていることを特徴とする気密パッキン。
【発明の詳細な説明】
【技術分野】
【０００１】
本発明は、共同住宅の玄関ドア等における既設ドアの改修方法、ドアおよびこれらに用いられる気密パッキンに関するものである。
【背景技術】
【０００２】
共同住宅の既設ドアの改修方法の一工程として、室内の気密性を高め、ドア開閉時の騒音防止のために、既設ドアに、気密パッキンを取り付けるものが知られている（特許文献１参照）。この既設ドアの改修方法における気密パッキンの取り付け方法では、既設ドア本体の室内側周縁部に、気密パッキンと枠材とを、タッピングビス等により、共締め固定するようにしている。
【先行技術文献】
【特許文献】
【０００３】
【特許文献１】特開２００６−２３３６８４号公報
【発明の概要】
【発明が解決しようとする課題】
【０００４】
しかしながら、このような気密パッキンの取り付け方法では、既設ドア本体の室内側周縁部に気密パッキンの固定位置を決定した後、気密パッキンを固定位置に位置決め状態で支持する作業者と、気密パッキンを固定位置にビス止め（本固定）する作業者とが必要であり、作業性が悪いという問題があった。
【０００５】
本発明は、気密パッキンを既設ドア本体に簡単且つ精度良く取り付けることができる既設ドアの改修方法、ドアおよびこれらに用いられる気密パッキンを提供することを課題としている。
【課題を解決するための手段】
【０００６】
本発明の既設ドアの改修方法は、既設ドア本体の室内側周縁部に、既設ドア枠に密接する気密パッキンを四周に亘って取り付ける既設ドアの改修方法であって、両面粘着テープを用い、気密パッキンを室内側周縁部に仮止めするパッキン仮止め工程と、室内側周縁部にマーキングした墨出マークに従って、気密パッキンを位置修正しながら室内側周縁部に本固定する本固定工程と、を備えたことを特徴とする。
【０００７】
この構成によれば、両面粘着テープを用いて、気密パッキンを既設ドア本体の室内側周縁部に仮固定し、その後の気密パッキンの位置を修正しながら本固定を行うようにしているため、気密パッキンの固定に際し、これを固定位置に支持する作業者を必要とせず、作業者一名で、既設ドア本体に気密パッキンを正確に且つ簡単に取り付けることができる。したがって、既設ドアの改修の作業性を向上させることができる。なお、両面粘着テープは、既設ドア本体の室内側周縁部に沿って連続的に設けてもよいし、断続的に設けてもよい。また、気密パッキンの本固定は、ビスにより行うことが好ましい。
【０００８】
この場合、気密パッキンは、既設ドア枠の上枠に密接する上部パッキンと、既設ドア枠の下枠に密接する下部パッキンと、既設ドア枠の両側枠に密接する一対の側部パッキンと、から成り、気密パッキンのコーナー部分は、上部パッキン、下部パッキンおよび一対の側部パッキンを、相互に４５°の角度で突き合わせて構成されていることが、好ましい。
【０００９】
この構成によれば、コーナー部分の気密性を損なうことなく、室内側の気密パッキンのコーナー部分を見栄え良く仕上げることができる。
【００１０】
この場合、既設ドア本体は、框部に対し面材部が室内側から見て凹部となるように形成されており、凹部に、断熱遮音パネルを嵌合設置する断熱遮音工程を、更に備えていることが、好ましい。
【００１１】
この構成によれば、既設ドア本体を、新しいドア本体に交換することなく、断熱性、遮音性に優れたドアに改修することができる。なお、断熱遮音パネルとしては、ペーパーハニカムパネルのほか、グラスウール等の繊維系断熱材、発泡ゴムや発泡ポリスチレン等の発泡プラスチック系断熱材を主材とし、これに遮音板を組み合わせたものであることが好ましい。また、断熱遮音パネルは、両面粘着テープを用いて、面材部に粘着固定することが好ましい。
【００１２】
この場合、框部の外側輪郭形状より僅かに小さい化粧パネルを、断熱遮音パネルを覆うように框部の室内側に取り付けるパネル覆装工程を、更に備えていることが、好ましい。
【００１３】
この構成によれば、化粧パネルにより、既設ドアの室内側を、内装に合わせて改修することができると共に、断熱遮音パネルを保護することができる。なお、化粧パネルは、框部にビス止め固定することが好ましい。
【００１４】
この場合、気密パッキンは、化粧パネルを挟んで框部に固定されることが、好ましい。
【００１５】
この構成によれば、気密パッキンを、化粧パネルを挟んで框部に固定するため、気密パッキンを強固に固定することができると共に、気密パッキンを押える枠材（パッキン押え）を必要とせず、既設ドア改修のコストを低減することができる。
【００１６】
本発明の気密パッキンは、上記した既設ドアの改修方法に用いられる気密パッキンであって、既設ドア枠の接触するエアータイト部と、エアータイト部を支持すると共に、既設ドア本体の室内側周縁部に固定される取付け片部と、を備え、エアータイト部を軟質樹脂とし取付け片部を硬質樹脂とする複合成型品で構成されていることを特徴とする。
【００１７】
この構成によれば、軟質樹脂で構成されたエアータイト部と、硬質樹脂で構成された取付け片部と、が複合成型（いわゆる２色成型）で形成されているため、低コストで気密性および取付け性の良好なものとすることができる。
【００１８】
この場合、エアータイト部は、既設ドア枠に直接接触する略断面円形の接触部と、基端部において、室内側周縁部に当接すると共に取付け片部に連設し、室内側周縁部から直角に延びる支持片部と、先端部で接触部を支持すると共に基端部で支持片部に連設し、既設ドア本体の閉塞方向に湾曲する湾曲片部と、を有していることが好ましい。
【００１９】
この構成によれば、接触部と湾曲片部とにより気密性を維持しつつ、湾曲片部と支持片部とにより、既設ドア本体に対する開閉時の負荷を軽減することができる。特に、湾曲片部は、既設ドア本体の閉塞方向に湾曲しているため、ドアクローザーによる閉塞力を軽減することができる。
【００２０】
また、エアータイト部から延び、取付け部を覆う覆装片部を、更に備え、覆装片部は、軟質樹脂で構成され且つエアータイト部と一体に成形されていることが好ましい。
【００２１】
この構成によれば、覆装片部により、取付け片部に設けた固定用のビス等を隠蔽することができるため、気密パッキン廻りの意匠性を向上させることができる。
【００２２】
本発明のドアは、框部に対し面材部が室内側から見て凹部となるように形成されたドア本体と、ドア本体が開閉自在に取り付けられたドア枠と、ドア本体の凹部に嵌合固定された断熱遮音パネルと、断熱遮音パネルを覆うように、ドア本体の室内側に取り付けられた化粧パネルと、ドア本体の室内側周縁部に四周に亘って取り付けられ、ドア枠に密接する気密パッキンと、室内側周縁部と気密パッキンとの間に介設した両面粘着テープと、を備えたことを特徴とする。
【００２３】
この構成によれば、気密性、断熱性および遮音性に優れた安価なドアを提供することができる。また、室内側を内装に合わせたドアを提供することができる。さらに、両面粘着テープにより、気密パッキンを現場合わせで簡単に後付けすることができる。
【００２４】
本発明の気密パッキンは、上記したドアに用いられる気密パッキンであって、ドア枠の接触するエアータイト部と、エアータイト部を支持すると共に、ドア本体の室内側周縁部に固定される取付け片部と、エアータイト部から延び、取付け部を覆う覆装片部と、を備え、エアータイト部および覆装片部を軟質樹脂とし取付け片部を硬質樹脂とする複合成型品で構成されていることを特徴とする。
【００２５】
この構成によれば、低コストで、気密性、意匠性および取付け性の良好な気密パッキンを提供することができる。
【発明の効果】
【００２６】
以上のように、本発明の既設ドアの改修方法およびドアは、簡単な気密パッキンの取り付け方法によって、既設ドアの改修作業の作業性を向上し、気密性、断熱性および遮音性に優れたドアを提供することができる。
また、本発明の気密パッキンは、特に既設ドアの改修に適し、低コストで気密性および取付け性の良好なものとすることができる。
【図面の簡単な説明】
【００２７】
【図１】本発明の実施形態に係る既設ドアを改修した玄関ドアの室内側正面図である。
【図２】改修後のドア本体を模式的に表した横断面図である。
【図３】改修後のドア本体を模式的に表した縦断面図である。
【図４】改修後のドア本体における気密パッキン廻りの拡大横断面図である。
【図５】気密パッキンの拡大断面図である。
【図６】気密パッキンの斜視図である。
【図７】既設ドア本体の改修における断熱遮音パネル取付け時の室内側正面図（ａ）および化粧パネル取付け時の室内側正面図（ｂ）である。
【図８】既設ドア本体の改修における気密パッキン取付け時の室内側正面図である。
【発明を実施するための形態】
【００２８】
以下、添付の図面を参照して、本発明の実施形態に係る既設ドア（既設玄関ドア）の改修方法および改修により得られる玄関ドア１について説明する。この既設玄関ドア１は、共同住宅の玄関に設置される鉄製の単板のドアであり、その改修方法は、気密性を有する断熱遮音ドアに改修するものである。
【００２９】
図１ないし図４は改修後の玄関ドア１を表しており、これらの図に示すように、玄関ドア１は、鉄製のドア本体２０と、丁番（図示省略）を介してドア本体２０が開閉自在に取り付けられたドア枠３０とにより構成されている。ドア枠３０は、玄関側の外壁に形成された開口部に組み込まれ、ドア本体２０と同様に鉄製のもので構成されている。ドア本体２０は、鉄板（鋼板）をプレス成型したいわゆるプレスドアで構成されており、ドア本体２０には、断熱遮音パネル７０、化粧パネル８０、気密パッキン４０および郵便受６０の他、ドア錠５０、ドアガード５１、ドアスコープ５２、ドアクローザー５３等のドア金具が取り付けられている。
【００３０】
実施形態の玄関ドア１では、ドア本体２０（プレスドア）およびドア枠３０は既設のものを用い、ドア金具（丁番を含む）も、損傷していない限り既設のものを付け替えて用いるようにしている（なお、本実施形態では、ドアスコープ５２および郵便受６０を新設としている）。すなわち、既設のドア本体２０（およびドア枠３０）からドア金具等を外し、これに、断熱遮音パネル７０、化粧パネル８０、気密パッキン４０および郵便受６０を取り付け、更に取り外しておいたドア金具を取り付けるようにしている。
【００３１】
ドア本体２０は、上下に補強用ボス部（図示省略）を形成した面材部２１と、面材部２１の周囲を四周に亘って折り込んで形成した框部２２とから成り、框部２２に対し面材部２１が、室内側から見て凹となるような凹部２３を構成している。框部２２は、所定の幅を有して中空形状に形成され、この框部２２の室内側に、化粧パネル８０、気密パッキン４０およびドア金具が取り付けられるようになっている。框部２２は、上框部２２ａ、下框部２２ｂ、吊元側縦框部２２ｃおよび戸先側縦框部２２ｄから成り、ドア金具のうちドアクローザー５３は上框部２２ａに、ドア錠５０およびドアガード５１は戸先側縦框部２２ｄにそれぞれ取り付けられている。なお、請求項に言う「室内側周縁部」は、この框部２２により構成されている。
【００３２】
ドア枠３０は、略断面逆Ｌ字型、かつ中空形状に形成され、室外側にドア本体２０の厚み分の段部３１を有している。玄関ドア１は閉塞時、この段部３１に、ドア本体２０が室外側から係合するようになっている。
【００３３】
断熱遮音パネル７０は、ペーパーハニカム材の両面に亜鉛鉄板をそれぞれ貼着して構成され、所望の断熱性と遮音性を有している。この場合、断熱遮音パネル７０は、上記の凹部２３の大きさにカットされ、図示では省略したが両面粘着テープを介して、凹部２３に嵌合するようにして面材部２１に貼着されている。
【００３４】
化粧パネル８０は、アルミ複合板で構成され、框部２２の外側輪郭形状より僅かに小さくカットされている。そして、化粧パネル８０は、断熱遮音パネル７０を覆うように框部２２の室内側にビス止めされるようになっている。なお、搬入時の化粧パネル８０には、その表面に保護フィルム（図示省略）が貼着され、保護フィルムは施工後、引き剥がされる。
【００３５】
新設の郵便受６０は、ドア本体２０の下部中央に組み込まれており、室内側に設けられる受箱本体６１および差込ガイド６２と、室外側に設けられる郵便投入口蓋６３とで構成されている。既存のドア本体２０では、面材部２１に横長に形成した開口を郵便差込口としていたが、新設の郵便受６０では、差込ガイド６２付の受箱本体６１および郵便投入口蓋６３を設けるようにしている。
【００３６】
気密パッキン４０は、難燃性樹脂で構成され、ドア本体２０を閉塞したときにドア枠３０に密接するように、框部２２の室内側周縁部に四周に亘って設けられている。すなわち気密パッキン４０は、上部パッキン４１と、下部パッキン４２と、左右一対の側部パッキン４３とで構成され、これらのうち戸先側の側部パッキン４３は、ドア錠５０およびドアガード５１の部分を除いて断続的に設けられている。そして、気密パッキン４０のコーナー部分Ｃは、上部パッキン４１、下部パッキン４２および一対の側部パッキン４３を、相互に４５°の角度で突き合わせるようになっている。
【００３７】
図５は、気密パッキン４０の断面形状を表している。気密パッキン４０は、軟質樹脂からなりドア枠３０に接触するエアータイト部４０１と、硬質樹脂からなりドア本体２０の室内側周縁部に固定される取付け片部４０２と、軟質樹脂からなり、エアータイト部４０１から伸びて取付け片部４０２を覆う覆装片部４０３とで構成されている。すなわち軟質樹脂と硬質樹脂のいわゆる２色成型（複合成型）により形成されている。取付け片部４０２は、化粧パネル８０の縁端を挟みこんで框部２２にビス止め固定される部分であり、長手方向には、所定のピッチでビス打ち用の横長穴や丸孔を形成しておいてもよいが、実施形態のものは仮止めされるため、現場合わせで框部２２への下穴と共に丸孔を形成するようにしている。
【００３８】
エアータイト部４０１は、ドア枠３０に直接接触する略断面円形の接触部４０１ａと、室内側周縁部に当接すると共に取付け片部４０２に連接され、室内側周縁部から直角に延びる支持片部４０１ｂと、接触部４０１ａを支持すると共に支持片部４０１ｂに連接し、ドア本体２０の閉塞方向に湾曲した湾曲片部４０１ｃとで構成されている。湾曲片部４０１ｃと覆装片部４０３とは、略山形形状を為して連続しており、湾曲片部４０１ｃと覆装片部４０３との境界部分から支持片部４０１ｂが延在している。この場合、湾曲片部４０１ｃは、ドア本体２０の閉塞方向に湾曲し、ドアクローザー５３への負荷が軽減されるように設計されている。また、ドア枠３０に接触部４０１ａが接触したときに、湾曲片部４０１ｃのみならず支持片部４０１ｂも変形し、ドア枠３０への密接性を向上できるようになっている。
【００３９】
覆装片部４０３の先端は、自由状態で気密パッキン４０が取り付けられた化粧パネル８０に接触するようになっており、取付け片部４０２およびこれに取り付けたビスＶ（タッピングビス）を、内側に隠蔽する（図５（ａ）参照）。また、取付け片部４０２にビス打ちを行う時には、これを捲り上げることにより取付け片部４０２が露出し、ビス打ちに支障が生じないようになっている（図５（ｂ）参照）。一方、平板状の支持片部４０１ｂに対しこれに直角に設けた平板状の取付け片部４０２は、支持片部４０１ｂの基端から化粧パネル８０の厚み分の寸法を隔てた位置に延在しており、気密パッキン４０を化粧パネル８０に取り付けた状態において、支持片部４０１ｂの基端部が化粧パネル８０の端面および框部２２の表面に接触する。この支持片部４０１ｂの基端部と、接触部４０１ａとにより、室内外の気密性が維持される。
【００４０】
なお、実施形態の気密パッキン４０においては、図５（ａ）に示す寸法において、ａ＝８．０ｍｍ、ｂ＝１５．０ｍｍ、ｃ＝７．０ｍｍ、ｄ＝２．７ｍｍにしている。
【００４１】
以下、本発明に係る既設ドアの改修方法について、詳細に説明する。なお、本実施形態の既設ドアは、ドア本体２０に、ドア錠５０、ドアガード５１、ドアスコープ５２、ドアクローザー５３および郵便受６０が取り付けられた、玄関ドア１である。
【００４２】
先ず、丁番の開き具合等の既設のドア枠３０に対するドア本体２０の建付け調整を行う。建付け調整の後、ドア枠３０およびドア本体２０の各部の採寸を行い、これを型紙に落として、断熱遮音パネル７０および化粧パネル８０の発注資料を作成する。この資料に基づく発注により、工場にて所定の寸法の断熱遮音パネル７０および化粧パネル８０が作成され、且つ上部パッキン４１、下部パッキン４２および左右一対の側部パッキン４３から成る気密パッキン４０が用意される。なお、これらパッキン４１，４２，４３は、最終的に現場合わせと成るため、現場合わせを要する部分（最終的に吊元側で合わせる）は、長めにカットしておく（図８参照）。
【００４３】
現場では、先ずドア本体２０から、ドア錠５０、ドアガード５１、ドアスコープ５２、ドアクローザー５３を取り外す。次に、図７（ａ）に示すように、ドア錠５０、ドアガード５１、ドアクローザー５３の取り付け位置を、框部２２の室内側周縁部に、墨出マークＭａによってマーキングする（墨出しを行う）。更に、図７（ａ）に示すように、室内側からみて框部２２の外側輪郭形状より僅かに内側に、化粧パネル８０を取り付けるための墨出マークＭｂを記す。
【００４４】
続いて、ドア本体２０に設けられている既存の郵便受金具を外す。次に、断熱遮音パネル７０を取り付けるための両面粘着テープ（図示省略）を、ドア本体２０の面材部２１に分散するように貼着する。両面粘着テープを貼着したら、図７（ａ）に示すように、断熱遮音パネル７０をドア本体２０の凹部２３に嵌合するように設置する。すなわち、断熱遮音パネル７０を両面粘着テープに貼着する。この貼着は、断熱遮音パネル７０に形成した郵便受６０用の横長開口６４を、ドア本体２０の開口に位置合わせしながら行う。
【００４５】
更に、図７（ｂ）に示すように、框部２２より僅かに小さく加工した化粧パネル８０を、上記の墨出マークＭｂに位置合わせしながら、複数のクランプ等によりこれをドア本体２０に仮固定する。そして、断熱遮音パネル７０を覆うように設けたこの化粧パネル８０を、下穴を穿孔した框部２２にビス止めする。この場合も、化粧パネル８０の下部には横長開口６４が形成されているため、この横長開口６４を、ドア本体２０の開口に位置合わせする。
【００４６】
続いて、ドア金具の取り付けに入る。まず、ドア本体２０の室外側ドアスコープ孔をガイドにして、ドリル等で断熱遮音パネル７０および化粧パネル８０を穿孔し、ドアスコープ孔を室内側に貫通させ、ドアスコープ５２を取り付ける。更に、框部２２の周縁部に、化粧パネル８０越しに、墨出マークＭａの延長上にマーキングを行い、この墨出マークを参考にして、化粧パネル８０を穿孔し、ドア錠５０、ドアガード５１、ドアクローザー５３をそれぞれ取り付ける。
【００４７】
また、図２および３に示すように、横長開口６４に位置合わせをして、化粧パネル８０、断熱遮音パネル７０およびドア本体２０を両側から挟むように、室外側から差込ガイド６２、室内側から郵便投入口蓋６３をそれぞれビス止めする。更に、差込ガイド６２に受箱本体６１を引掛け、受箱本体６１の下部を、断熱遮音パネル７０および化粧パネル８０にビスで固定する。なお、ドア錠５０、ドアガード５１、ドアスコープ５２、ドアクローザー５３、郵便投入口蓋６３、差込ガイド６２および受箱本体６１は、気密パッキン４０の設置後に取り付けてもよい。
【００４８】
そして、図８に示すように、最後に気密パッキン４０を取り付ける。先ず、上部パッキン４１、下部パッキン４２および左右一対の側部パッキン４３について、それぞれの取付け片部４０２の裏面に、両面粘着テープＴを貼付する（図６参照）。これと相前後して化粧パネル８０の保護フィルムを部分的に剥がし、化粧パネル８０に、各パッキン４１，４２，４３の取付け片部４０２の端部位置を墨出マークＭｃによってマーキングする（墨出しを行う）。そして、両面粘着テープＴの剥離テープを一方の端から剥がしながら、先ず分割されている戸先側の側部パッキン４３を化粧パネル８０に仮止め（仮固定）する。また、側部パッキン４３の仮止め（他の各パッキン４１，４２，４３も同様）では、墨出マークＭｃに、取付け片部４０２の端面が合致するように、修正（引き剥がしを含む）しながら作業を進める。
【００４９】
次に、上部パッキン４１の仮止めに移行するが、上部パッキン４１は、両端部が４５°カットされているものの、最終的に現場合わせとすべく長めにカットされている。そこで、先ず戸先側端から吊元側端まで寸法を計測する（この場合は、ドア枠３０の寸法）。ここで、上部パッキン４１の吊元側端を幾分長めに４５°カット（ハサミ等を用いる）し、さらに上部パッキン４１を取付け位置にあてがって最終的に位置合わせし、４５°カットする。以降は、上記の側部パッキン４３と同様に、上部パッキン４１を上記の化粧パネル８０に修正を行いながら貼着する。同様に、続く、下部パッキン４２および吊元側の側部パッキン４３を化粧パネル８０に修正を行いながら貼着する。なお、上部パッキン４１、下部パッキン４２および吊元側の側部パッキン４３は、戸先側の端部のみ４５°カットされているものを用い、現場で吊元側を４５°カットするようにしてもよい。
【００５０】
このようにして、コーナー部分Ｃは上部パッキン４１、下部パッキン４２および一対の側部パッキン４３を、相互に４５°の角度で突き合うように仮止めする。なお、ドア錠５０およびドアガード５１の設置部は、気密パッキン４０を取り付けず、ドアクローザー５３の設置部は、上部パッキン４１にドアクローザー５３の幅に合わせて切り込みを入れ、ドア本体２０閉塞時の、ドアクローザー５３に対する上部パッキン４１の抵抗を下げるようにする。
【００５１】
上記の気密パッキン４０仮止め工程において、図４に示すように、気密パッキン４０の接触部４０１ａは、ドア枠３０に接触する程度に調節する。接触部４０１ａをドア枠３０に強く加圧させると、エアータイト部４０１の圧力で、ドア本体２０が閉塞不能になるためである。
【００５２】
上記の点に鑑みて、気密パッキン４０の位置を修正しながら、図５（ｂ）に示すように取付け片部４０２を覆っている覆装片部４０３を捲り上げ、気密パッキン４０を化粧パネル８０を挟んでドア本体２０の框部２２に、ビス止めする。このビス止めにあたっては、上記したように、追加のルーズ穴を形成し、気密パッキン４０が１５０ｍｍ〜２００ｍｍのピッチでビス止めされるようにする。
【００５３】
以上の気密パッキンの取り付け方法によれば、両面粘着テープを用いて、気密パッキンを既設ドア本体の室内側周縁部に仮固定し、その後の気密パッキンの位置を修正しながら本固定を行うようにしているため、気密パッキンの固定に際し、これを固定位置に支持する作業者を必要とせず、作業者一名で、既設ドア本体に気密パッキンを正確に且つ簡単に取り付けることができる。したがって、既設ドアの改修の作業性を向上させることができる。また、コーナー部分の気密性を損なうことなく、室内側の気密パッキンのコーナー部分を見栄え良く仕上げることができる。
【符号の説明】
【００５４】
１：玄関ドア  ２０：ドア本体  ２１：面材部  ２２：框部  ２３：凹部  ３０：ドア枠  ３１：段部  ４０：気密パッキン  ５０：ドア錠  ５１：ドアガード  ５２：ドアスコープ  ５３：ドアクローザー  ６０：郵便受  ６１：受箱本体  ６２：差込ガイド  ６３：郵便投入口蓋  ６４：横長開口  ７０：断熱遮音パネル  ８０：化粧パネル  ４０１：エアータイト部  ４０１ａ：接触部  ４０１ｂ：支持片部  ４０１ｃ：湾曲部  ４０２：取付け片部  ４０３：覆装片部  Ｃ：コーナー部分  Ｉ：室内  Ｏ：室外  Ｔ：両面粘着テープ  Ｖ：タッピングビス  Ｍａ，Ｍｂ，Ｍｃ：墨出マーク
【図１】
2010185235.tif 000003
【図２】
2010185235.tif 000004
【図３】
2010185235.tif 000005
【図４】
2010185235.tif 000006
【図５】
2010185235.tif 000007
【図６】
2010185235.tif 000008
【図７】
2010185235.tif 000009
【図８】
2010185235.tif 000010